(57)【要約】      （修正有）【課題】作業者が長距離の施肥であっても疲労を解消することができ、作業スピードを上げることで施肥作業の能率を向上させることができる施肥機作業用台車装置を提供する。【解決手段】施肥機Ｐに使用する作業用台車装置であって、作業用台車装置は、人が立ったまま後部に足を載せる座部２と、座部２の前部に設けられ、施肥機Ｐ及び牽引機又は麦踏み機をアタッチメント式に装着する起立部３と、座部２の幅方向にアーム４を介して設けられた左右一対のタイヤ５とを備え、座部２はタイヤ５を支点に揺動自在にする。【選択図】図１
0003233523.tif 000002
【実用新案登録請求の範囲】
【請求項１】
施肥機に使用する作業用台車装置であって、
該作業用台車装置は、人が立ったまま後部に足を載せる座部と、
該座部の前部に設けられ、施肥機及び牽引機又は麦踏み機をアタッチメント式に装着する起立部と、
前記座部の幅方向にアームを介して設けられた左右一対のタイヤと、を備え、
座部はタイヤを支点に揺動自在にしてなることを特徴とする施肥機作業用台車装置。
【請求項２】
前記起立部の上部には、アタッチメント式に横材が架け渡され、この横材に掛架装着される施肥機を構成する幅方向左右一対のホッパを下方の前記タイヤのアームと干渉しないように備え、
左右一対のホッパの下部の排出口にある羽根車同士を連結する回転軸と、
該回転軸の略中央に取り付けられた斜向連携部と、
該斜向連携部の下部に回転自在に枢着した駆動輪と、を備え、
前記座部の中央に設けた開口部から下方へ駆動輪を臨ませてなり、駆動輪の回転により斜向連携部を通じて、回転軸と共に羽根車を回転させて肥料を落下させ、横材の中央から前方に突出した前方水平棒と、
該前方水平棒に取り付けた支持用ブラケットと、を備え、
この支持用ブラケットに牽引機を連結するものとした請求項１に記載の施肥機作業用台車装置。
【請求項３】
前記起立部の上部には、前記支持用ブラケットに自走式ローラによる麦踏み機を取り付けることを可能にする請求項２に記載の施肥機作業用台車装置。
【請求項４】
前記タイヤを支持するアームは、幅方向に伸縮自在となっている請求項１に記載の施肥機及び麦踏み機の作業用台車装置。
【考案の詳細な説明】
【技術分野】
【０００１】
本考案は、耕作地で施肥機を使って施肥を行うための施肥機作業用台車装置に関する。
【背景技術】
【０００２】
従来より、麦踏みや施肥を行うための作業用機械があり、人が歩いて機械（管理機と呼ばれる）を押すことで使用されている。
【０００３】
ここで、特許文献１に開示されているように、ローラの芯軸の両側端を枠杆の両側杆の中央部に植設する支持杆に軸架し、前記枠杆の前杆中央部に牽引車との取付杆を装備し、前記枠杆の後杆に踏鈑及び土落鈑を取付け、土落鈑の前縁両側を発条で枠杆の両側杆に取付けてなる麦踏みローラが存在する。
【先行技術文献】
【特許文献】
【０００４】
【特許文献１】実開昭６２−１４９９０２号公報
【考案の概要】
【考案が解決しようとする課題】
【０００５】
この特許文献１の場合、枠杆の後杆に踏鈑及び土落鈑を取付け、土落鈑の前縁両側を発条で枠杆の両側杆に取付けてなり、人が乗った自重でローラの下部を押し下げる目的で踏板が設けられており、この枠杆を人が乗車するための目的ではない。
一般的に、このような施肥作業用の機械の課題として、人が歩いて機械を押して作業する場合、人の歩行スペースまでしか作業スピードを上げられないという課題があり、更に、作業者が長距離の施肥を行う場合、疲労してしまうという課題があった。
【０００６】
そこで、本考案は、このような諸事情を鑑みて、作業者が長距離の施肥であっても疲労を解消することができ、作業スピードを上げることで、施肥作業の能率を向上させることができる施肥機作業用台車装置を提供することを目的とする。
【課題を解決するための手段】
【０００７】
上述した課題を解決するために、本考案にあっては、施肥機に使用する作業用台車装置であって、該作業用台車装置は、人が立ったまま後部に足を載せる座部と、該座部の前部に設けられ、施肥機及び牽引機、又は麦踏み機をアタッチメント式に装着する起立部と、前記座部の幅方向にアームを介して設けられた左右一対のタイヤとを備え、座部はタイヤを支点に揺動自在にしてなることを特徴とする。
【０００８】
さらに、前記起立部の上部には、アタッチメント式に横材が架け渡され、この横材に掛架装着される施肥機を構成する幅方向左右一対のホッパを下方の前記タイヤのアームと干渉しないように備え、左右一対のホッパの下部の排出口にある羽根車同士を連結する回転軸と、該回転軸の略中央に取り付けられた斜向連携部と、該斜向連携部の下部に回転自在に枢着した駆動輪とを備え、前記座部の中央に設けた開口部から下方へ駆動輪を臨ませてなり、駆動輪の回転により斜向連携部を通じて、回転軸と共に羽根車を回転させて肥料を落下させ、横材の中央から前方に突出した前方水平棒と、該前方水平棒に取り付けた支持用ブラケットとを備え、この支持用ブラケットに牽引機を連結するものとしても良い。
【０００９】
前記起立部の上部には、前記支持用ブラケットに自走式ローラによる麦踏み機を取り付けることを可能にする。
【００１０】
前記タイヤを支持するアームは、幅方向に伸縮自在となっているものとしても良い。
【考案の効果】
【００１１】
本考案によれば、作業スピードを上げることで麦踏み作業能率を向上させ、長距離の施肥であっても作業者の疲労を解消することができる。
【００１２】
すなわち、施肥機に使用する作業用台車装置であって、該作業用台車装置は、人が立ったまま後部に足を載せる座部と、該座部の前部に設けられ、施肥機及び牽引機、又は麦踏み機をアタッチメント式に装着する起立部と、前記座部の幅方向にアームを介して設けられた左右一対のタイヤとを備え、座部はタイヤを支点に揺動自在にしてなるので、前記座部に人が乗った自重でタイヤを支点にして起立部に取り付けた対向の牽引機の下部を若干持ち上げ、当該牽引機の作業スピードを上げることを可能にし、施肥作業能率を向上させることができる。人が座る椅子を設けていないのは、立っていることで何かあったときに逃げやすくなっている。
【００１３】
前記起立部の上部には、アタッチメント式に横材が架け渡され、この横材に掛架装着される施肥機を構成する幅方向左右一対のホッパを下方の前記タイヤのアームと干渉しないように備え、左右一対のホッパの下部の排出口にある羽根車同士を連結する回転軸と、該回転軸の略中央に取り付けられた斜向連携部と、該斜向連携部の下部に回転自在に枢着した駆動輪とを備え、前記座部の中央に設けた開口部から下方へ駆動輪を臨ませてなり、駆動輪の回転により斜向連携部を通じて、回転軸と共に羽根車を回転させて肥料を落下させ落下させ、横材の中央から前方に突出した前方水平棒と、該前方水平棒に取り付けた支持用ブラケットとを備え、この支持用ブラケットに牽引機を連結するので、アタッチメント式に架け渡される横材を介してホッパと牽引機を起立部の上部に装着することで、容易に施肥作業が行える。
【００１４】
前記起立部の上部には、前記支持用ブラケットに自走式ローラによる麦踏み機を取り付けることを可能にするので、麦踏み作業と施肥作業は、アタッチメントを交換すれば、どちらにも使用することができる。
【００１５】
前記タイヤを支持するアームは、幅方向に伸縮自在となっているので、アームを伸縮させて畝の幅にタイヤの幅を合わせることで、能率よく安定した麦踏み作業及び施肥作業が行える。
【図面の簡単な説明】
【００１６】
【図１】本考案を実施するための一形態における作業用台車装置１に施肥機Ｐを取り付けた状態の斜視図である。
【図２】作業用台車装置１に施肥機Ｐと麦踏み機を取り付けた状態の斜視図である。
【図３】作業用台車装置に施肥機Ｐを取り付けた状態の平面図である。
【図４】作業用台車装置に施肥機Ｐを取り付けた状態の側面図である。
【図５】作業用台車装置に施肥機Ｐを取り付けた状態の背面図である。
【図６】タイヤを支持するアームの一例を示し、（ａ）はアームを伸長した状態の背面図、（ｂ）はアームを縮小した状態の背面図である。
【図７】作業用台車装置１の斜視図である。
【図８】作業用台車装置１に麦踏み機を取り付けた状態の斜視図である。
【図９】作業用台車装置１の平面図である。
【図１０】作業用台車装置１の側面図である。
【図１１】作業用台車装置１の背面図である。
【図１２】タイヤを支持するアームの一例を示し、（ａ）はアームを伸長した状態の背面図、（ｂ）はアームを縮小した状態の背面図である。
【考案を実施するための形態】
【００１７】
以下、図面を参照して本考案の実施の一形態を詳細に説明する。
【００１８】
図１、図３乃至図５に示すように、施肥機Ｐに使用する作業用台車装置１は、人が立ったまま後部に足を載せる座部２と、該座部２の前部に設けられ施肥機をアタッチメント式に装着する起立部３と、前記座部の幅方向にアーム４を介して設けられた左右一対のタイヤ５とを備え、座部２はタイヤ５を支点にして揺動自在にしてなる。
【００１９】
座部２は、２本の棒材１１を互いに並列状に離間して、それらの後部を後側棒部材１２で連結固定し、両棒材１１の幅方向外側にそれぞれ足載せ部１３が設けられている。そして、両棒材１１の前部にはＵ字状に形成された起立部３を設けて、該起立部３の上端には両棒材１１の横幅よりも長い横材１４が把持部材１４ａにより架けられている。この横材１４の両側に施肥機Ｐを構成する幅方向左右一対のホッパ１５が、把持部材１６によって把持固定されている。
【００２０】
また、左右一対のホッパ１５の下部の排出口にある羽根車１７ａ同士を回転軸１７で連結し、前記横材１４に架けられて後方に突き出た支持棒１８の下端に形成された左右一対の取り付け片１８ａが斜向連携部１９と共に回転軸１７の略中央に固定されている。斜向連携部１９の下部に駆動輪２０が回転自在に枢着され、駆動輪２０は両棒材１１間の開口部２１を介して下方へ臨ませて地面に当接している。
【００２１】
図２に示すように、作業用台車装置１には、起立部３上端にアタッチメント式に取り付けられる横材１４の前方水平棒３１の支持用ブラケット３２に（自走式ローラＱＡを備える麦踏み機もしくは）牽引車Ｑを連結する。
【００２２】
牽引車Ｑの作動により、駆動輪２０が回転し、斜向連携部１９を通じて回転軸１７が回転しホッパ１５の排出口の羽根車１７ａから肥料が落下する。例えば、この斜向連携部１９内には回転軸１７を中心とする第１ギア（図示せず）と、駆動輪２０と同軸の第２ギア（図示せず）とが設けられ、両ギアはエンドレスベルト（図示せず）でつながっている。
【００２３】
この場合、前記座部２に人が乗った自重でタイヤ５を支点にして起立部３に取り付けた牽引機Ｑを持ち上げ、作業者に疲労を来すことなく、施肥作業が容易に行い得る。また、ホッパ１５の下方にある前記タイヤ５のアーム４と干渉しないように該ホッパ１５の取り付け位置が決められる。
【００２４】
図６に示すように、前記タイヤ５のアーム４は、ビス４ａによって幅の長さが伸縮自在となっている。すなわち、両タイヤ５の幅は、アーム４の長さがビス４ａで変えられることで、畝の幅に合わせるようになっている。
【００２５】
図７乃至図１２は、施肥機Ｐを取り外した作業用台車装置１であり、この場合、施肥機Ｐを取り付けないため、起立部３の上端の横材１４はＵ字状の起立部３の横幅と同じく短くなっている。
【００２６】
図８に示すように、起立部３には、麦踏み機Ｑをアタッチメント式に装着可能である。すなわち、起立部３は、その上部にアタッチメント式に横材１４が架け渡され、この横材１４の中央から前方に前方水平棒３１が突設され、該前方水平棒３１の下部にアングル３３を用いて支持用ブラケット３２が取り付けられ、この支持用ブラケット３２に自走式ローラＱＡによる麦踏み機Ｑが取り付けられるものとしている。
【００２７】
図９乃至図１１は夫々作業用台車装置１から施肥機Ｐを取り外した状態を示す平面図、側面図、背面図であり、さらに図１２はタイヤ５を支持するアーム４の一例を示しており、（ａ）はアーム４を伸長した状態を示す背面図、（ｂ）はアーム４を縮小した状態を示す背面図である。
【００２８】
次に、以上のように構成された形態についての使用の一例について説明する。先ず、図２に示すように、施肥作業において、座部２の前部の起立部３の上部の横材１４に施肥機Ｐのホッパ１５を装着し、斜向連携部１９下端の駆動輪２０を、開口部２１を介して地面に当接させる。牽引機ＱのハンドルＱＢを握って牽引作動することにより、駆動輪２０を回転することで、斜向連携部１９を通じて回転軸１７が回転しホッパ１５の排出口の羽根車１７ａから肥料が落下する。このとき、前記座部２に人が乗った自重でタイヤを支点にして起立部３の横材１４に取り付けた牽引機Ｑを持ち上げ、長距離の施肥であっても作業者の疲労を解消することができる。また、人が座る椅子を設けていないのは、立っていることで何かあったときに逃げやすくなっているからである。
【００２９】
図８に示すように、麦踏み作業に際し、起立部３上端の横材１４に設けた前方水平棒３１の支持用ブラケット３２に自走式ローラＲＡによる麦踏み機Ｒを取り付ける。座部２の足載せ部１３に足を載せて、麦踏み機ＲのハンドルＲＢを握って、自走式ローラＲＡを駆動し、麦踏み作業を行う。このように、麦踏み作業と施肥作業は、アタッチメントを交換すれば、どちらにも使用することができる。また、前記タイヤ５を支持するアーム４を伸縮させて畝の幅にタイヤ５の幅を合わせることで、能率よく安定した麦踏み作業及び施肥作業が行える。
【符号の説明】
【００３０】
Ｐ…施肥機
Ｑ…牽引機、麦踏み機
ＱＢ…ハンドル
ＱＡ…自走式ローラ
１…作業用台車装置
２…座部
３…起立部
４…アーム
４ａ…ビス
５…タイヤ
１１…棒材
１２…後側棒部材
１３…足載せ部
１４…横材
１４ａ…把持部材
１５…ホッパ
１６…把持部材
１７…回転軸
１７ａ…羽根車
１８…支持棒
１８ａ…取り付け片
１９…斜向連携部
２０…駆動輪
２１…開口部
３１…前方水平棒
３２…支持用ブラケット
３３…アングル
【図１】
0003233523.tif 000003
【図２】
0003233523.tif 000004
【図３】
0003233523.tif 000005
【図４】
0003233523.tif 000006
【図５】
0003233523.tif 000007
【図６】
0003233523.tif 000008
【図７】
0003233523.tif 000009
【図８】
0003233523.tif 000010
【図９】
0003233523.tif 000011
【図１０】
0003233523.tif 000012
【図１１】
0003233523.tif 000013
【図１２】
0003233523.tif 000014